(57)【要約】【課題】別途材料を付加することなく、折畳まれて積層収容された紙を容器内から順次円滑に取出すことができる機能を備えた積層紙類の包装容器と、併せてその容器の製造方法を提供する。【解決手段】折畳み積層された紙類を取出し口から順次取出し得る包装容器であって、前記取出し口は、その長手方向の両端部にガイドフラップと、長手方向に沿って設けられる中間適所で適宜間隔をとって双方に位置をずらせて突出部を有する一対の長手フラップとを、切除後の縁のウェーブ山側に適宜間隔で繋ぎ部を配される波形切目線と基部の折目線によってそれぞれ設けられ、その波形切目線に沿って切抜部を切り取るとそれらフラップが周囲に形成される。また、この容器のブランク打抜き加工時には、所要間隔で刃先に切込みを設けたウェーブ刃を用いた打抜き型で材料シートの裏面側から加工して、波形切目線部分で裏面から表面に向け傾斜する切断面に形成する。【選択図】図３
2006027648.tif 000002
【特許請求の範囲】
【請求項１】
折畳み積層された紙類を収容して上面に設けた取出し口からその収容紙類を順次取出し得るようにされた包装容器であって、
前記取出し口は、その周囲に形成されるフラップの縁部を、端面が裏面から表面に向かって上がり勾配となる傾斜面に形成されていることを特徴とする積層紙類の包装容器。
【請求項２】
折畳み積層された紙類を収容して上面に設けた取出し口からその収容紙類を順次取出し得るようにされた包装容器であって、
前記取出し口は、引き出される紙の幅方向両端部を案内するガイドフラップと、引き出される紙を保持する突出部を有して相対する一対の長手フラップとを備え、前記両長手フラップに形成される前記突出部の位置を相互にずらせて設けるようにして、両突出部間に狭隘な開放空間が形成されていることを特徴とする積層紙類の包装容器。
【請求項３】
折畳み積層された紙類を収容して上面に設けた取出し口からその収容紙類を順次取出し得るようにされた包装容器であって、
前記取出し口は、その長手方向の両端部にガイドフラップと、長手方向に沿って設けられ中間適所で適宜間隔をとって双方に位置をずらせて突き出す突出部を有する一対の長手フラップとを、切除後の縁のウェーブ山側に適宜間隔で繋ぎ部を配される波形切目線と基部となる位置に形成される折目線によってそれぞれ設けられ、その波形切目線に沿って切抜部を切り取るとそれらフラップが周囲に形成されることを特徴とする積層紙類の包装容器。
【請求項４】
前記取出し口の両端部には、それぞれガイドフラップと長手フラップの端部とによって、そのガイドフラップの周縁に沿って二股状の引き出される紙の案内切欠きが形成される請求項１〜３のいずれかに記載の積層紙類の包装容器。
【請求項５】
前記取出し口における長手フラップの基部には、裏面側でハーフカットによる折目線が形成されている請求項２または３に記載の積層紙類の包装容器。
【請求項６】
前記包装容器は、長手方向の両端面に、押し込む力を加えると端面を形成する部片の繋ぎが破壊されて容器全体を偏平に折畳むことができる一定方向に傾斜する折曲げ弱め線と繋ぎを分解するための指掛け弱め線がそれぞれ設けられている請求項１〜３のいずれかに記載の積層紙類の包装容器。
【請求項７】
折畳み積層された紙類を収容して上面に設けた取出し口からその収容紙類を順次取出し得るようにされた包装容器のブランクを打抜き形成するに際し、前記取出し口に設けられる紙引き出し時の案内保持機能を発揮させるフラップの基部折目線と開口切り取りのための切目線とを、前記折目線に対して罫押し刃および／または切込み刃を、前記切目線に対して所要の間隔で刃先に切込みを設けたウェーブ刃を、それぞれ所要形状に取付けられた打抜き型によって、前記ブランクの裏面側から加工して前記切目線部分では断続して波形に裏面から表面に向かって傾斜する切断面を形成し、前記ウェーブ刃に設けられた切込み箇所で部分的に繋ぎ部を形成して開封時まで取出し口を閉じる構造に作成することを特徴とする積層紙類の包装容器の製造方法。
【発明の詳細な説明】
【技術分野】
【０００１】
本発明は、折畳まれて積層収容される例えばティッシュペーパなどの紙類を取出し容易にした、積層紙類の包装容器とその製造方法に関するものである。
【背景技術】
【０００２】
従来、ティッシュペーパのような薄紙は、一定寸法に揃えられたものを交互に重ね合わされるように折畳まれて容器内に積層収容されており、容器の上面に設けられた取出し口から順次摘んで取出すようにされている。このような積層紙類の包装容器では、周知のように、紙の取出しの利便性をよくするために、取出されると同時に次の紙の一部を取出し口から覗かせて次回の取出しが容易なようにされている。また、その取出し口から紙を覗かせて保持することと、その状態で取出し口から容器の内部に異物の侵入が生じないようにするために、プラスチックフィルムで取出し口を覆い、紙の出口となる部分をプラスチックフィルムに切断線を付して、その切断線部分を通じて紙が順次取出されるようにされている。
【０００３】
一方、資源の再生利用を図り環境改善のために使用済み紙製品の回収が進められるなかで、前記包装容器におけるプラスチックフィルム付着のものでは、使用済み容器の処分時に、貼着しているプラスチックフィルムを剥離して分別する必要が生じる。このような消費者に余分な手間を強いることは回収作業の円滑化を阻害する一因となっている。そこで、紙製容器にこの種の紙以外の材料を利用する弊害を除いてティッシュペーパなどの取出しを容易にする紙容器については、例えば特許文献１によって提案されているものがある。
【０００４】
【特許文献１】実用新案登録第３０９６４４４号公報
【発明の開示】
【発明が解決しようとする課題】
【０００５】
前記従来のティッシュペーパなどの容器では、前述のようにその取出し口にプラスチックフィルムが貼着されていることによる廃棄時の問題点のほかに、プラスチックフィルムに設けられた取出し用切断線の両端部が使用によって次第に裂けて口が大きくなり、使用が進んで残りが少なくなるころ、紙の取出し口での保持機能が低下して引き出し待機させる紙が容器内に落ち込み、その後における紙の取出しを円滑に行えないという問題がある。
【０００６】
また、前記特許文献１にて提案されるように、使用済みの紙製容器の回収を容易にするには、紙の取出し口において折畳まれて収容されている紙が順次取出せるように、引き出された後に続く紙を確実に保持する機能を具備させる必要がある。この点で従来のプラスチックフィルムに取出し部を設けたものでは有効であるが、プラスチックフィルムのように柔軟性を備えた材料で取出し口を形成しない場合、どうしても容器の上面を構成する部位の一部で取出し口を形成することになる。そのために、収容されている紙を取出す際にその取出し口の縁部と取出される紙との接触による擦過音が容器胴に伝播して共鳴し、大きな音を発する。そのため、静かな場所での使用時に紙の取出し音が耳障りとなって不快感を受けるという問題点が生じる。そのほかに、ティッシュペーパのように柔軟性を有する紙では取出し口での保持力を高めようとすると、その分抵抗が大きくなるので、取出し時に損傷することがあり好ましくないという問題もある。
【０００７】
本発明は、このような問題点を解決するためになされたもので、別途材料を付加することなく、折畳まれて積層収容された紙を容器内から順次円滑に取出すことができる機能を備えた積層紙類の包装容器と併せてその容器の製造方法を提供することを目的とする。
【課題を解決するための手段】
【０００８】
前記目的を達成するために、第１発明の積層紙類の包装容器は、
折畳み積層された紙類を収容して上面に設けた取出し口からその収容紙類を順次取出し得るようにされた包装容器であって、
前記取出し口は、その周囲に形成されるフラップの縁部を、端面が裏面から表面に向かって上がり勾配となる傾斜面に形成されていることを特徴とするものである。
【０００９】
また、第２発明に係る積層紙類の包装容器は、
折畳み積層された紙類を収容して上面に設けた取出し口からその収容紙類を順次取出し得るようにされた包装容器であって、
前記取出し口は、引き出される紙の幅方向両端部を案内するガイドフラップと、引き出される紙を保持する突出部を有して相対する一対の長手フラップとを備え、前記両長手フラップに形成される前記突出部の位置を相互にずらせて設けるようにして、両突出部間に狭隘な開放空間が形成されていることを特徴とするものである。
【００１０】
また、第３発明に係る積層紙類の包装容器は、
折畳み積層された紙類を収容して上面に設けた取出し口からその収容紙類を順次取出し得るようにされた包装容器であって、
前記取出し口は、その長手方向の両端部にガイドフラップと、長手方向に沿って設けられ中間適所で適宜間隔をとって双方に位置をずらせて突き出す突出部を有する一対の長手フラップとを、切除後の縁のウェーブ山側に適宜間隔で繋ぎ部を配される波形切目線と基部となる位置に形成される折目線によってそれぞれ設けられ、その波形切目線に沿って切抜部を切り取るとそれらフラップが周囲に形成されることを特徴とするものである。
【００１１】
前記第１発明〜第３発明において、前記取出し口の両端部には、それぞれガイドフラップと長手フラップの端部とによって、そのガイドフラップの周縁に沿って二股状の引き出される紙の案内切欠きが形成されるようにするのがよい（第４発明）。
【００１２】
また、前記第２発明または第３発明において、前記取出し口における長手フラップの基部には、裏面側でハーフカットによる折目線が形成されているのがよい（第５発明）。
【００１３】
前記第１発明〜第３発明において、前記包装容器は、長手方向の両端面に、押し込む力を加えると端面を形成する部片の繋ぎが破壊されて容器全体を偏平に折畳むことができる一定方向に傾斜する折曲げ弱め線と繋ぎを分解するための指掛け弱め線がそれぞれ設けられているのがよい（第６発明）。
【００１４】
次に、第７発明に係る積層紙類の包装容器の製造方法は、
折畳み積層された紙類を収容して上面に設けた取出し口からその収容紙類を順次取出し得るようにされた包装容器のブランクを打抜き形成するに際し、前記取出し口に設けられる紙引き出し時の案内保持機能を発揮させるフラップの基部折目線と開口切り取りのための切目線とを、前記折目線に対して罫押し刃および／または切込み刃を、前記切目線に対して所要の間隔で刃先に切込みを設けたウェーブ刃を、それぞれ所要形状に取付けられた打抜き型によって、前記ブランクの裏面側から加工して前記切目線部分では断続して波形に裏面から表面に向かって傾斜する切断面を形成し、前記ウェーブ刃に設けられた切込み箇所で部分的に繋ぎ部を形成して開封時まで取出し口を閉じる構造に作成することを特徴とする。
【発明の効果】
【００１５】
前記第１発明によれば、折畳まれて積層される紙類、例えばティッシュペーパの包装容器の取出し口において、その周囲にフラップを形成するにあたり、そのフラップは縁部端面を裏面から表面に向かって勾配を付けられて、その先端部分が薄肉にされているので、容器内から紙を取出すとき、引き出される紙と前記フラップの縁部との接触抵抗が緩和され、例えばそのフラップ縁部を波形のように凹凸にして前述のように端面先端部分を薄肉にしておくと、紙取出しの際の接触抵抗によって発生する擦過音のレベルが低減され、容器の胴部との共鳴による不快な音の発生を抑制できるという効果を奏するのである。
【００１６】
また、前記第２発明によれば、折畳まれて積層される紙類、例えばティッシュペーパを取出す取出し口には、引き出される紙の幅方向の両端部にガイドフラップが設けられ、かつ相対する突出部を有する一対の長手フラップが設けられて、その両突出部間を屈曲する狭隘な開放空間にされているので、柔軟な紙がその紙の幅よりも狭い取出し口から引き出されるとき、紙の両側がガイドフラップによって中央寄りに誘導されて次に引き出される紙とともに移動するようにされる。そして、長手フラップに設けられる突出部が引き出される紙との接触によって両突出部間に屈曲形成される狭隘な開放空間で通過する紙の中間部を屈曲させるようにして引き出される紙にいわゆる腰を持たせ、後続の紙が一部引き出されて起立状態を呈するように促すと同時に移動を規制し、折畳まれて積層している収容部の紙層が少量になったとき一挙に持ち上がるのを防止する働きをする。なお、各フラップはその基部における折目線部分を基点に搖動してフリーの端部の変位を容易にし、柔軟性が得られるように機能する。したがって、取出し口において引き出される紙に対応する容器側の各フラップが容器構成のシートの一部であっても、無理なく対応して引き出される紙を一枚ずつ取出せるように規制できるのである。しかも、紙を一枚取出した後は、長手フラップに設けられる突出部が引き出された紙の落ち込みを阻止して、次の取出しを容易にするという機能を発揮するのである。したがって、従来のプラスチックフィルムによる取出し口と変わりなく機能して、使用済みでの容器の処分時に使用材料の分別処理を行わないで簡単に処分できるという利便性を発揮できるのである。
【００１７】
また、前記第３発明によれば、前記第２発明のものと同様の機能を発揮するのに加えて、使用に供するまで開口部を封止していた部分を切目線に沿って切り取った開口縁が、その切目線を波形切目線にて所要の間隔で切除後における山に繋ぎ部を設けるように形成してあるので、その開口縁に接して引き出される紙には繋ぎ部の破断端によりソフトな抵抗が与えられて引き出された後に残る引き出し部分が内部に落ち込むのを防止でき、紙の移動に際して傷付けることもない。また、使用者が指先を開口縁に接触して傷付けることもないという利点がある。さらに、取出し口形成の切目線を波形にしたことで、開封後において美的効果を高め得る。
【００１８】
また、第４発明の構成を採用することにより、折畳まれて交互に重ね合わされ収容されている紙が取出し口から引き出される際、その重ね合わされる向きに応じて二股状に形成されるガイド部で交互に入れ替わって案内できるので、引き出される紙の両端部での案内を円滑にでき、引き出しに際して大きな抵抗が生じないから、引き出される紙が裂けるようなことがない。
【００１９】
さらに、第５発明の構成を採用することにより、長手フラップの基部に形成される折目線が裏面側でハーフカットされていることで、この長手フラップの上下搖動が容易に行われ、紙の引き出しに際して生じる紙との接触抵抗が格別に低減され、擦過音の発生を低減するのに有効であるという効果を奏する。
【００２０】
また、前記第６発明の構成を採用すれば、容器内の紙を消費して空になった場合、廃棄処分を行うに際して、そのままで容器の長手方向両端部を手で持って端面に設けられている指掛け部に手指を強く押付けると、その指掛け部に形成される指掛け弱め線によって当該部分で破断する。こうすると、端面は、同時にその周辺部に波及する押し付け外力によって端面形成の部材に設けられている一定方向に傾斜する折曲げ弱め線に沿って内側に折り曲げられ、端面形成の部材を貼り合わせていた部分での繋ぎが破壊されて分解し、前記折曲げ弱め線に沿って折畳まれて偏平にすることができる。したがって、処分する容器は従来品のようにフィルムを分別する必要なくを簡単に嵩低くして処置することができるという効果を奏する。
【００２１】
また、第７発明によれば、このような包装容器を作成するに際して、打抜き工程で裏面打ちを行うことにより簡単に製作することが可能であり、前記第１発明から第５発明に到る作用効果を奏する容器を効率よく生産できて経済的効果を高めることができるのである。
【発明を実施するための最良の形態】
【００２２】
次に、本発明による積層紙類の包装容器の具体的な実施の形態について、その製造方法を交えて図面を参照しつつ説明する。
【００２３】
図１には本発明による包装容器を開封して内部からティッシュペーパが取出し得る状態にされた全体斜視図が示されている。図２には容器のブランクを表わす図が、図３には包装容器の取出し口を表わす平面図が示され、図４には使用されるウェーブ刃の一部を拡大して表わす斜視図（ａ）と切目線刻設部の拡大断面図（ｂ）が、それぞれ示されている。
【００２４】
この実施形態は、ティッシュペーパの包装容器に適用したものについて説明する。包装容器１は、図２に示されるように、板紙（シート５０）を打抜かれたブランクを折り曲げ加工して所要寸法の直方体に形成されている。すなわち、そのブランクは、所要寸法の長方形の上面部２に折線ａ，ｂを介して長手辺の両側にそれぞれ側面部３，３′が、そして一方の側面部３′に折線ｃを介して底面部４が連接され、上面部２の長手両端に折線ｄ，ｄを介して上端面部５，５が、また底面部４の長手両端に折線ｅ，ｅを介して下端面部５′，５′が、それぞれ連接されている。また、両側面部３，３′には、それぞれ両端に折線ｆ，ｆ、ｇ，ｇを介して繋ぎ側面部６，６′が連接されている。なお、上端面部５と繋ぎ側面部６との端辺後端からほぼ４５°の傾斜で相反する方向に内折線７ａ，７ｂが、下端面部５′と繋ぎ側面部６′との端辺好転からほぼ４５°でそれぞれ相反する方向に内折線７ｃ，７ｄが、それぞれ刻設されている。なお、前記折線７ａ，７ｂ，７ｃ，７ｄは、容器使用済みになって廃棄する際の折畳み用折線である。また、下端面部５′に設けられた切目線８は、容器の端部を分解して折畳みを容易にする指掛け用空間を形成するもので、８Ａは指掛け穴形成部、８Ｂは切除される端縁部である。また、９は組立時の糊代である。
【００２５】
前記上面部２の中央部には、容器に収容されるティッシュペーパ３０の幅寸法よりも短い長さで取出し口１０が設けられている。この取出し口１０は、例えば図３に示されるように、長手方向の両端部にガイドフラップ１２が、長手方向に沿って長手フラップ１１が、それぞれ一対相対向するように設けられている。もちろん、取出し口１０は開封するまで閉止状態に保たれ、内容物が保護され、使用初期において切除部分を切り取ることで開口するようになっている。
【００２６】
前記取出し口１０は、図３に例示されるように、最大外形を所要寸法の長方形にして、長手方向の両端部で一部を切線１４によって切断し、その他の各辺をフラップの基部１１ａ，１２ａとして上向きの回動が容易なように折目線１１ａ′，１２ａ′が形成されている。そして、実質的な取出し口となる部分は、図４（ａ）に示されるように、打抜きウェーブ刃４０（刃先部４１を所定のピッチＰで平面上波形に屈曲させて刃付けした刃物である）でもって切り取り可能に切目線１３（本発明における波形切目線に相当）を刻設されている。
【００２７】
この包装容器１は、加工工程で、板紙を打抜いて所要寸法形状のブランクに形成する際、打抜き装置においてシート５０の裏面５１側から抜き型の刃物を打ち付けて加工するのである。そして、前記取出し口１０を形成する四辺の各フラップ１１，１１，１２，１２の基部１１ａ，１２ａには内向き折目線１１ａ′，１２ａ′がそれぞれ刻設されるようにし、開封する切除予定部を形成する切目線１３を前記ウェーブ刃４０の刃先部４１にちょうど打抜くと残留する側（フラップの先端となる）の山位置に所要の間隔で切込み４３を付けたものを用いて切目線を付ける。こうすると、ウェーブ刃４０の刃先部４１に設けられた切込み４３部分が繋ぎ部１３ａを形成する。また、この加工によってブランクのシート５０を裏抜きすることにより、前記切目線１３における切断端面１３ｂは、刃先部４１の勾配によって、図４（ｂ）に拡大断面図で示されるように、シート５０の裏面５１から表面５２に向かって上がり勾配の斜面に形成される。なお、前記長手フラップ１１，１１の基部１１ａ，１１ａに形成される折目線１１ａ′は、裏面側でハーフカットされている。前記折目線１１ａ′は、裏面側でハーフカットして形成することにより、折り曲げ抵抗が削減されて上下方向の搖動を円滑にすることができる。
【００２８】
一方、前記切目線１３が刻設されて形成される取出し口１０の周りには、長手両端部で周縁が円曲線を描く形状に形成されるガイドフラップ１２が相対向して設けられ、短辺方向に縁部１１′をジグザグ状で中央部に突出部１５が形成される長手フラップ１１，１１が、その突出部１５，１５の位置をずらせて一対相対向して設けられている。前記ガイドフラップ１２の縁１２′と両長手フラップ１１，１１の端部の縁１１″とは、図３に示されるように、適宜寸法の空間が形成されるように対峙させ、その両側の空間によって取出し口１０から引き出されるティッシュペーパ３０（紙）の端部を案内するガイド部１７にされている。
【００２９】
また、前記両長手フラップ１１，１１は、両端部に形成されるガイド部１７，１７位置から中央部の突出部１５に到るまでの縁部１１′を大きなピッチの波形に形成され、突出部１５の頂端が取出し口１０の短辺方向におけるほぼ半分の長さ寸法にされて、向かい合う両突出部１５，１５間に狭隘な開放空間１８が形成されるように突出部１５，１５の傾斜縁を平行させて配されている。このようにされる両長手フラップ１１，１１と両ガイドフラップ１２，１２との間には、突出部１５，１５によって形成される狭隘な開放空間１８を挟んで対称的に広がりをもつ特異な形状の空間部１９，１９が形成されている。この空間部１９は、包装容器１の取出し口１０を開封して最初に内容物であるティッシュペーパ３０を取出す際に、指先を挿入してペーパの端を摘み出すことができる空間を形成している。なお、前記突出部１５の配置については、中央部に特定されるものではなく、必要に応じて中間部で所要位置に設けることができる。
【００３０】
このように構成される本実施形態の包装容器１は、周知の手段で前記形状のブランクを糊張りして直方体に形成後、一側端を開放状態にして別途準備された内容物となるティッシュペーパ３０の積層物を内部に収納して開放部を閉じる。こうしてでき上がった包装容器１は、取出し口１０も閉止部によって覆われている。そこで、包装容器１からティッシュペーパ３０を取出すには、取出し口１０の閉止部を切目線１３に沿って引き剥がすと、閉止部が分離して開口される。開封された初期では、内容ティッシュペーパ３０が折畳まれて積層された状態であるからそのまま取出すことはできない。そこで、開封された取出し口１０の空間部１９に指先を挿入して積層上面のペーパをつまみ上げると一枚の端部を引き出すことができるので、そのまま引き上げると取出すことができる。
【００３１】
取出し口１０からティッシュペーパ３０を一枚引き出すと、図５（ａ）に例示されるように、このペーパは両端部を取出し口１０端部のガイドフラップ１２と長手フラップ１１の端部とによって形成されるガイド部１７，１７にて案内され、かつ中央部を両長手フラップ１１，１１に設けられて相対する突出部１５，１５によって両者間に形成される屈曲する狭隘な開放空間１８とその突出部１５の端部とにより絞られた状態を呈し、引き出されるペーパを制御して起立状態に保たれて引き出される。また、取出し口１０の両端部では、収容されているティッシュペーパ３０が交互に向きを変えて重ね合わせ折畳まれているので、一枚ずつ引き出されるごとにガイドフラップ１２，１２によって規制されながら引き出される向きを二股に形成されるガイド部１７，１７で交互に移動して取出されるようにガイドされるので、端部で巻き上げられることなく順次円滑に取出されるように機能する。そして、ティッシュペーパ３０は、中央部を前記突出部１５，１５による狭隘な開放空間１８と両突出部１５の頂端とによって屈曲状態にされて引き上げられ、これに付随して引き出される後続のペーパが一部引き出された後は、引き出し時の接触負荷が少ない背後側の長手フラップ１１の縁部１１′が受け止めて後戻りせず（図５（ｂ）参照）、移動を規制されるので、特に残留量が少なくなった場合でも取出し口１０から内部に抜け落ちることはない。また、ティッシュペーパ３０の残量が少なくなった場合に引き出すと一挙に持ち上がるのを防止する働きをする。したがって、収容されるティッシュペーパが最後まで無理なく一枚ずつの取出しを行えるのである。また、ペーパの引き出しに際して、前述のように大きな抵抗を受けることがない構造にされているので、ペーパが傷付いて引き裂けたりせず取出すことができる。
【００３２】
一方、取出し口１０の周縁を形成するガイドフラップ１２，１２および長手フラップ１１，１１は、ペーパと接触するその縁部１２′，１１′が、前述のように波形にされて裏面５１から表面５２に向かって勾配を付された切断端面１３ｂに仕上げられているので（図４（ｂ）参照）、ティッシュペーパ３０を引き出すことによりそのペーパが各フラップ１１，１２の端縁１１′，１２′を擦過するが、柔軟な表面のティッシュペーパ３０に対してフラップ側が硬度の高い紙で形成されているにもかかわらず、接触部が波の頂点であって、しかも傾斜端面にされることで頂部が肉薄になっていることから両者の接触部では接触面が少ない。その上、長手フラップ１１，１１は、その基部における折目線１１ａ′が裏面側でハーフカットして形成されているので、通常の押し罫線による折目線とは異なり折り曲げ抵抗が少なくて、引き出されるペーパと前記端縁１１′とが柔軟に接するので、接触抵抗が少なくなって擦過音の発生が低減し、容器本体の胴部での共鳴が小さくなって耳障りな不快音の発生を著しく低減できるのである。
【００３３】
また、この実施態様では取出し口１０を開封した後の切目線１３の後が、開口縁（フラップの縁部１１′、１２′）として波形になっていて、しかもその切断部では縁部１１′、１２′が波形の頭部に繋ぎ部１３ａの破断後が形成されるので、手指が接触しても切断縁によって傷付けることがなく、安心して取扱うことができるのである。
【００３４】
さらに、容器が使用済みとなって廃棄処分するときには、容器本体の長手両端面部において設けられている指掛け穴形成部８Ａに指先を押付けて、糊付けされている側面部（下端面部５′）を押し込むようにすると、まず切目線８によって形成されている幅広い端縁部８Ｂが破断して上端面部５に付着移動し、下端面部５′と上端面部５との接合部が大部分で切り離される。この破断によって上下端面部５，５′はその保持力が弱められ、幅方向の両端での端面の糊付けが剥がれるので、そのまま上下方向に押し潰すと、ちょうど対角位置で端部に設けられる内折線（第６発明における折曲げ弱め線の対応）７ａ〜７ｄ（図２参照）に沿って折り曲げられ、同時に端面部（上下端面部５、５′）が内向きに折り込まれ、容器本体を偏平に嵩低く潰すことができる（図６参照）。したがって、従来品のようにプラスチックフィルムの貼着がないので、分別処理することなくリサイクル回収できる状態で廃棄処分できるのである。
【００３５】
以上に記載した実施形態ではティッシュペーパの包装容器について説明したが、これに限定されるものではなく、このほかにキッチンペーパなど折畳んで積層する包装形態をとるものの容器として同様に適用することができる。また、この包装容器は、容器本体を構成するシート以外の付加材料・部品を要しないのと、複雑な加工を伴わないのでコストアップすることもなく、リサイクルできて経済的効果を高めることができるのである。
【図面の簡単な説明】
【００３６】
【図１】本発明による包装容器を開封して内部からティッシュペーパが取出し得る状態にされた全体斜視図
【図２】容器のブランクを表わす図
【図３】包装容器の取出し口を表わす平面図
【図４】使用されるウェーブ刃の一部を拡大して表わす斜視図（ａ）と切目線刻設部の拡大断面図（ｂ）
【図５】ティッシュペーパ取出し時の態様を表わす斜視図（ａ）と取出し部分の模式的断面図（ｂ）
【図６】廃棄処分のために容器を折畳んだ態様を表わす図（ａ）と容器端面部の破壊折畳み態様を表わす図（ｂ）
【００３７】
１      包装容器
２      容器本体の上面部
１０    取出し口
１１    長手フラップ
１２    ガイドフラップ
１１′、１２′    フラップの縁部
１１ａ′    折目線
１３    切目線
１３ａ  繋ぎ部
１５    長手フラップに設けた突出部
１７    ガイド部
１８    狭隘な開放空間
３０    ティッシュペーパ
【図１】
2006027648.tif 000003
【図２】
2006027648.tif 000004
【図３】
2006027648.tif 000005
【図４】
2006027648.tif 000006
【図５】
2006027648.tif 000007
【図６】
2006027648.tif 000008